(57)【要約】  【課題】  従来装置は、係留索を取水管の下部側外周に取付ける構造であったので、係留索が取水管から外れないようにしかも係留索取付け位置の取水管が損傷することが無い様に係留索を取付けなければならず、その取付け作業が非常に面倒であるという問題があった。  【解決手段】  本願発明は、海上に配置された取水設備と、該取水設備に取付けられた取水管とを備えてなる懸垂式取水装置において、前記取水管として管体の外周に補強体が設けられた補強体付き取水管を使用し、前記補強体の端部に引留め金具を取付け、該引留め金具を海底に引留めたことを特徴とするものである。  【選択図】  図１
2005163599.tif 000002
【特許請求の範囲】
【請求項１】
海上に配置された取水設備と、該取水設備に取付けられた取水管とを備えてなる懸垂式取水装置において、前記取水管として管体の外周に補強体が設けられた補強体付き取水管を使用し、前記補強体の端部に引留め金具を取付け、該引留め金具を海底に引留めたことを特徴とする懸垂式取水装置。
【発明の詳細な説明】
【技術分野】
【０００１】
本願発明は、海上に配置された取水設備と、該取水設備に取付けられた取水管とを備えてなる懸垂式取水装置に関するものである。
【背景技術】
【０００２】
近年、海洋深層水が種々利用されるようになってきている。海洋深層水を取水する取水装置には二つのタイプがある。一つは、陸上にポンプ等の取水設備を配置し、該取水設備に海底敷設したパイプラインを取付け、該パイプラインを介して海底付近から深層水を汲み上げる陸上設置式取水装置である。他の一つは、海上にポンプ等の取水設備を配置し、該取水設備に取水管を取付け、該取水管を介して海底付近からの深層水を汲み上げる懸垂式取水装置である。
【０００３】
前者の陸上設置式取水装置は、大量の取水が可能であるが、建設費が高いという問題がある。一方後者の懸垂式取水装置は、取水量は前者よりも少量であるが、建設費が安価であるという利点があり、小規模な事業者で実用化されている。
【０００４】
本発明は上記懸垂式取水装置に関するものである。従来の懸垂式取水装置の構造を図４を参照して説明する。
図４において、１０は海上Ａに配置された取水設備である。該取水設備１０には、ポンプ等が搭載されている。２０は取水設備１０の下部に取り付けられた取水管である。この取水管２０は、プラスチック管で形成されており、その一端側が取水設備１０の下部に取付けられていると共に他端側が海底付近まで延びている。３０は取水設備１０が流されないように設けられた係留索であり、先端側が取水設備１０に、また基端側が海底Ｂに固定されたアンカー６０にそれぞれ取付けられている。
【０００５】
上記構成の懸垂式取水装置においては、係留索３０を取水設備１０と海底Ｂに固定されたアンカー６０間に取付けなければならず、海底が深くなった場合等にはその取付け作業が面倒であるという問題があった。そこで特許文献１に記載されているように、係留索を取水管の下部側外周に取付けることが考えられる。
【０００６】
【特許文献１】特開２００１−３５５５７５号公報
【発明の開示】
【発明が解決しようとする課題】
【０００７】
しかしながら、係留索を取水管の下部側外周に取付けるには、係留索が取水管の外周面を滑って外れないように、しかも係留索取付け位置の取水管が損傷することが無いように係留索を取付けなければならず、その取付け作業が非常に面倒であるという問題があった。また係留索と取水管が絡まる恐れがあるという問題があった。
【課題を解決するための手段】
【０００８】
本願発明は、取水管から外れることなくしかも取水管を損傷させず、さらに係留索と取水管が絡まる恐れがなく取水管を引留めることのできる懸垂式取水装置を提供するもので、その構成は、海上に配置された取水設備と、該取水設備に取付けられた取水管とを備えてなる懸垂式取水装置において、前記取水管として管体の外周に補強体が設けられた補強体付き取水管を使用し、前記補強体の端部に引留め金具を取付け、該引留め金具を海底に引留めたことを特徴とするものである。
【０００９】
このように本願発明は、引留め金具を、取水管の外周に設けられた補強体の端部に取り付ける構成としたので、従来のように引留索が取水管から外れるという問題が無くなると共に取水管を損傷させず、しかも係留索と取水管が絡まることなく取水管を引留めることができる。
【発明の効果】
【００１０】
上記のように本願発明の懸垂式取水装置によれば、取水管として管体の外周に補強体が設けられた補強体付き取水管を使用し、前記補強体の端部に引留め金具を取付け、該引留め金具を海底に引留める構成としたので、引留め金具が取水管から外れることなくしかも取水管を損傷させず、かつ係留索と取水管が絡まることなく取水管を簡単に引留めることができる。
【発明を実施するための最良の形態】
【００１１】
以下に本願発明の懸垂式取水装置の一実施例を図１〜図４を用いて詳細に説明する。
【実施例】
【００１２】
図１は本願発明の懸垂式取水装置の一実施例で、ポンプ等が搭載されて海上Ａに配置された取水設備１０と、該取水装置１０の下部に取り付けられた取水管２０を備えている点は従来の懸垂式取水装置と同じである。
【００１３】
本発明においては取水管２０として管体の外周に補強体が設けられた補強体付き取水管２０を使用している。本発明で使用する取水管２０の一例を図２に示す。この取水管２０は、プラスチック管２１と、該プラスチック管の外周に長ピッチでスパイラル状に巻付けられた鉄線からなる補強体２２と、該補強体２２の外周に設けられたポリエチレンの保護層２３とから構成されている。図２における鉄線からなる補強体２２は２層設けてあるが、これは１層または３層以上でもよい。また補強層２２の材質は、鉄線に限定されるものではなく、チタンワイヤー、アラミド繊維、ガラス繊維、炭層繊維等であってもよい。保護層２３は、プラスチック管２１や補強体２２の保護や防食のために設けてあるが、この保護層２３は必ずしも必要なものではない。
【００１４】
取水管２０は、その一端側が取水装置１０の下部に取り付けられていると共に他端側が海底付近まで延びている。取水管２０の一端側を取水装置１０の下部に取付ける際、取付け部に回転応力が作用しないように取付け部を回転自在に構成しておくことが好ましい。
【００１５】
一方、海底付近まで延びた取水管２０の他端側には、引留め金具５０が取付けられている。
【００１６】
図３に取水管２０の他端側に引留め金具５０を取付けた状態を示す。引留め金具５０は、補強体端末固定部５１と連結部５５とから構成されている。補強体端末固定部５１は補強体２２の端末を固定するための部分で、補強体２２の端末をＵ字状に折り曲げて支持する補強体端末支持金具５２と、補強体端末支持金具５２で支持した補強体２２の端末を押さえる補強体押さえ金具５３とから構成されている。また連結部５５は、Ｕ字状の連結部材５６と、該連結部材５６を前記補強体押さえ金具５３に連結した連結体５７とから構成されている。
【００１７】
上記構成の引留め金具５０を用いて取水管２０の他端側を引留めるには次のように行う。
まず、取水管２０の端部の保護層２３を所定長剥ぎ取り補強体２２を露出させる。次に露出させた補強体２２の外周に補強体端末支持金具５２を取付け、補強層２２の端末部をＵ字状に折り曲げて補強体端末支持金具５２の外周に位置させる。
【００１８】
次に補強体押さえ金具５３を取付け、該補強体押さえ金具５３で前記補強体端末支持金具５２の外周にＵ字状に折り曲げた補強体２２を押さえ込み、該補強体押さえ金具５３を固定具５４で補強体端末支持金具５２側に固定する。これによって、補強体２２の端末部を補強体端末固定部５１に固定することができる。
【００１９】
なお連結部５５の連結体５７は、補強体２２の端末部を補強体端末固定部５１に固定する前に予め補強体押さえ金具５３に接続しておくことが好ましいが、補強体２２の端末部を補強体端末固定部５１に固定した後に補強体押さえ金具５３に接続するようにしてもよい。
【００２０】
上記のように補強体２２の端末部に引留め金具５０を取付けた後は、図１に示すように、引留め金具５０の連結部５５に鎖７１と縒り戻し体７２とからなる係留部材７０の一端側を取付けると共に係留部材７０の他端側を海底Ｂに固定されたアンカー６０に取付けることによって引留め金具５０を海底Ｂに引留めるものである。
【００２１】
なお、係留部材７０の構造は特に限定するものではなく、例えば鎖のみの構造であってもよい。または係留部材７０を介さないで引留め金具５０を直接アンカー６０に取付けるようにしてもよい。更に本願発明で使用する取水管および引留め金具の構造は実施形態のものに限定されるものではない。
【図面の簡単な説明】
【００２２】
【図１】本願発明の懸垂式取水装置の概略正面図。
【図２】本願発明で使用する取水管の一実施形態を示す断面図。
【図３】本願発明で使用する引留め金具の一実施形態を示す半部欠載断面図。
【図４】従来の懸垂式取水装置の概略正面図。
【符号の説明】
【００２３】
１０    取水設備
２０    取水管
２１    プラスチック管
２２    補強体
２３    保護層
５０    引留め金具
５１    補強体端末固定部
５２    補強体端末支持金具
５３    補強体押さえ金具
５４    固定具
５５    連結部
５６    連結部材
５７    連結体
６０    アンカー
７０    係留部材
【図１】
2005163599.tif 000003
【図２】
2005163599.tif 000004
【図３】
2005163599.tif 000005
【図４】
2005163599.tif 000006